(57)【要約】      （修正有）【課題】コンパクトなファンアウトコードに用いるベース部品、ファンアウトコードおよびファンアウトコードの製造方法を提供する。【解決手段】ファンアウトコードに用いられるインナー部品４は、複数の光ファイバ心線を収容する補強チューブ２を固定する第一固定部と、複数の光ファイバ心線の少なくとも１本の光ファイバ心線を収容する補強チューブ３を複数本固定する第二固定部と、補強チューブ２から露出した抗張力繊維を係止する係止部と、第一固定部と第二固定部との間に、補強チューブ２および補強チューブ３から露出した複数の光ファイバ心線を収容する収容部と、を備える。【選択図】図２
2020098233.tif 000002
【特許請求の範囲】
【請求項１】
複数の光ファイバ心線を収容する第一チューブを固定する第一固定部と、
前記複数の光ファイバ心線の少なくとも１本の光ファイバ心線を収容する第二チューブを複数本固定する第二固定部と、
前記第一チューブから露出した抗張力部材を係止する係止部と、
前記第一固定部と前記第二固定部との間に、前記第一チューブおよび前記第二チューブから露出した前記複数の光ファイバ心線を収容する収容部と、
を備える、ファンアウトコードに用いられるベース部品。
【請求項２】
前記第二固定部は、それぞれ前記第二チューブを固定する複数の第二固定部である、請求項１に記載のベース部品。
【請求項３】
少なくとも二つの前記第二固定部が隣接して並列された第二固定部群が、複数段配置される、請求項２に記載のベース部品。
【請求項４】
前記第一固定部は、前記第一チューブを位置決めするための第一凹部を有し、前記複数の第二固定部はそれぞれ、前記複数の第二チューブを位置決めするための複数の第二凹部を有する、請求項２または請求項３に記載のベース部品。
【請求項５】
本体部と、前記本体部に対して着脱可能なカバー部材と、を備える、請求項１から請求項４のいずれか一項に記載のベース部品。
【請求項６】
複数の光ファイバ心線と、
前記複数の光ファイバ心線を収容する第一チューブと、
各々が前記複数の光ファイバ心線の少なくとも１本の光ファイバ心線を収容する複数の第二チューブと、
前記第一チューブおよび前記複数の第二チューブを固定するベース部品と、を備え、
前記ベース部品は、
前記第一チューブを固定する第一固定部と、
前記複数の第二チューブを固定する第二固定部と、
前記第一チューブから露出した抗張力部材を係止する係止部と、
前記第一固定部と前記第二固定部との間に、前記第一チューブおよび前記第二チューブから露出した前記複数の光ファイバ心線を収容する収容部と、
を備える、ファンアウトコード。
【請求項７】
前記ベース部品の周囲を覆う保護材を備える、請求項６に記載のファンアウトコード。
【請求項８】
前記保護材は、互いに係合可能な二つの部品を有する、請求項６または請求項７に記載のファンアウトコード。
【請求項９】
前記保護材は、前記第一チューブを挿通する第一貫通穴と前記複数の第二チューブを挿通する第二貫通穴とを有する、請求項７または請求項８に記載のファンアウトコード。
【請求項１０】
複数の光ファイバ心線を第一チューブに収容するステップと、
前記複数の光ファイバ心線の少なくとも１本の光ファイバ心線を第二チューブに収容するステップと、
前記第一チューブをベース部品に固定するステップと、
前記第一チューブに収容された抗張力部材を前記ベース部品に係止するステップと、
複数の前記第二チューブを前記ベース部品に固定するステップと、
を含む、ファンアウトコードの製造方法。
【請求項１１】
前記ベース部品の周囲を保護材で覆うステップを含む、請求項１０に記載のファンアウトコードの製造方法。
【発明の詳細な説明】
【技術分野】
【０００１】
本発明は、ファンアウトコード用ベース部品、該ベース部品を有するファンアウトコードおよびファンアウトコードの製造方法に関する。
【背景技術】
【０００２】
特許文献１は、複数の光ファイバ心線と、集合部と、保護固定部材とを備えた光ファイバの分岐接続装置を開示している。分岐接続装置は、各光ファイバ心線の一端部の被覆を除去し、被覆を除去した一端部を複数本集合させて集合用被覆材により一体的に被覆して集合部を形成し、集合部から光ファイバ心線が分岐する分岐部に保護固定部材を装着して固定することにより製造される。保護固定部材は、例えば、熱収縮スリーブである。
【０００３】
また、特許文献２は、光ファイバコードと、複数のテープ状光ファイバ心線と、保護固定部材とを備えた多心光コネクタを開示している。多心光コネクタは、光ファイバコードから露出し分岐した複数のテープ状光ファイバ心線をそれぞれ補強チューブに挿通し、光ファイバコードと各補強チューブとの接続箇所に保護固定部材を装着して固定することにより製造される。保護固定部材は、例えば、熱収縮チューブである。
【先行技術文献】
【特許文献】
【０００４】
【特許文献１】特開平１０−１７７１２３号公報
【特許文献２】特開２００３−３０２５５８号公報
【発明の概要】
【発明が解決しようとする課題】
【０００５】
特許文献１の分岐接続装置では、分岐部に熱収縮スリーブを装着後、熱収縮スリーブを加熱して収縮させる間に、分岐部が熱収縮スリーブ内を移動して熱収縮スリーブから露出する可能性がある。このため、熱収縮スリーブは、分岐部の長さよりも所定の距離だけ長く形成する必要があり、分岐接続装置の全体のサイズが大きくなる。
【０００６】
また、特許文献２の多心光コネクタも同様に、熱収縮チューブは、光ファイバコードと各補強チューブとの接続箇所よりも所定の距離だけ長く形成する必要があり、多心光コネクタの全体のサイズが大きくなる。
【０００７】
そこで、本発明は、コンパクトなファンアウトコードに用いられるベース部品、ファンアウトコードおよびファンアウトコードの製造方法を提供することを目的とする。
【課題を解決するための手段】
【０００８】
本発明の一態様に係るファンアウトコードに用いられるベース部品は、
複数の光ファイバ心線を収容する第一チューブを固定する第一固定部と、
前記複数の光ファイバ心線の少なくとも１本の光ファイバ心線を収容する第二チューブを複数本固定する第二固定部と、
前記第一チューブから露出した抗張力部材を係止する係止部と、
前記第一固定部と前記第二固定部との間に、前記第一チューブおよび前記第二チューブから露出した前記複数の光ファイバ心線を収容する収容部と、を備える。
【０００９】
本発明の一態様に係るファンアウトコードは、
複数の光ファイバ心線と、
前記複数の光ファイバ心線を収容する第一チューブと、
各々が前記複数の光ファイバ心線の少なくとも１本の光ファイバ心線を収容する複数の第二チューブと、
前記第一チューブおよび前記複数の第二チューブを固定するベース部品と、を備え、
前記ベース部品は、
前記第一チューブを固定する第一固定部と、
前記複数の第二チューブを固定する第二固定部と、
前記第一チューブから露出した抗張力部材を係止する係止部と、
前記第一固定部と前記第二固定部との間に、前記第一チューブおよび前記第二チューブから露出した前記複数の光ファイバ心線を収容する収容部と、を備える。
【００１０】
本発明の一態様に係るファンアウトコードの製造方法は、
複数の光ファイバ心線を第一チューブに収容するステップと、
前記複数の光ファイバ心線の少なくとも１本の光ファイバ心線を第二チューブに収容するステップと、
前記第一チューブをベース部品に固定するステップと、
前記第一チューブに収容された抗張力部材を前記ベース部品に係止するステップと、
複数の前記第二チューブを前記ベース部品に固定するステップと、を備える。
【発明の効果】
【００１１】
本発明によれば、コンパクトなファンアウトコードに用いるベース部品、ファンアウトコードおよびファンアウトコードの製造方法を提供することができる。
【図面の簡単な説明】
【００１２】
【図１】本発明の実施形態に係るファンアウトコードを示す斜視図である。
【図２】図１のファンアウトコードの分解斜視図である。
【図３Ａ】ファンアウトコードに用いられる補強チューブの断面図である。
【図３Ｂ】ファンアウトコードに用いられる補強チューブの断面図である。
【図４】図１のファンアウトコードの部分断面図である。
【図５Ａ】本発明の実施形態に係るインナー部品の本体部の斜視図である。
【図５Ｂ】インナー部品の本体部を第一固定部の方から視た図である。
【図５Ｃ】インナー部品の本体部を第二固定部の方から視た図である。
【図６】インナー部品のカバー部材の背面斜視図である。
【図７】アウター部品のアウターフロント部の斜視図である。
【図８】アウター部品のアウターリア部の斜視図である。
【図９】ファンアウトコードの製造方法の光ファイバ心線収容工程を説明するための図である。
【図１０】ファンアウトコードの製造方法の補強チューブ取付工程を説明するための図である。
【図１１】ファンアウトコードの製造方法の補強チューブ取付工程を説明するための図である。
【図１２】ファンアウトコードの製造方法の補強チューブ取付工程を説明するための図である。
【図１３】ファンアウトコードの製造方法のカバー部材取付工程を説明するための図である。
【図１４】ファンアウトコードの製造方法の抗張力繊維接着工程を説明するための図である。
【図１５】ファンアウトコードの製造方法のアウターリア部取付工程を説明するための図である。
【図１６】ファンアウトコードの製造方法のアウターフロント部取付工程を説明するための図である。
【発明を実施するための形態】
【００１３】
［本発明の実施形態の説明］
最初に本発明の実施形態の内容を列記して説明する。
本発明の一態様に係るファンアウト（Ｆａｎ−Ｏｕｔ）コードに用いられるベース部品は、
（１）複数の光ファイバ心線を収容する第一チューブを固定する第一固定部と、
前記複数の光ファイバ心線の少なくとも１本の光ファイバ心線を収容する第二チューブを複数本固定する第二固定部と、
前記第一チューブから露出した抗張力部材を係止する係止部と、
前記第一固定部と前記第二固定部との間に、前記第一チューブおよび前記第二チューブから露出した前記複数の光ファイバ心線を収容する収容部と、を備える。
【００１４】
上記構成によれば、第一固定部および第二固定部を用いて、第一チューブおよび第二チューブをベース部品に固定する。このため、ベース部品の周囲を保護材で覆う際、第一チューブおよび第二チューブはベース部内で移動しないため、保護材の長さを短くすることができる。これにより、コンパクトなファンアウトコードを提供することができる。
【００１５】
（２）前記第二固定部は、それぞれ前記第二チューブを固定する複数の第二固定部でもよい。
【００１６】
上記構成によれば、複数の第二チューブをそれぞれ対応する第二固定部に固定する。このため、個別に第二チューブを位置決めすることができる。
【００１７】
（３）少なくとも二つの前記第二固定部が隣接して並列された第二固定部群が複数段配置されてもよい。
【００１８】
上記構成によれば、少なくとも二つの第二固定部が隣接して並列された第二固定部群が複数段配置されている。このため、ベース部品をコンパクトにすることができる。
【００１９】
（４）前記第一固定部は、前記第一チューブを位置決めするための第一凹部を有し、前記複数の第二固定部はそれぞれ、前記複数の第二チューブを位置決めするための複数の第二凹部を有してもよい。
【００２０】
上記構成によれば、第一固定部および第二固定部は、凹部を有する。このため、第一チューブおよび第二チューブの位置決め作業を容易に行える。
【００２１】
（５）前記ベース部品は、本体部と、前記本体部に対して着脱可能なカバー部材と、を備えてもよい。
【００２２】
上記構成によれば、ベース部は、本体部とカバー部材から構成される。このため、カバー部材を外した状態で、本体部に第一チューブおよび第二チューブを取り付けることができる。これにより、第一チューブおよび第二チューブの取付作業を容易に行える。
【００２３】
（６）また、本発明の実施形態に係るファンアウトコードは、
複数の光ファイバ心線と、
前記複数の光ファイバ心線を収容する第一チューブと、
各々が前記複数の光ファイバ心線の少なくとも１本の光ファイバ心線を収容する複数の第二チューブと、
前記第一チューブおよび前記複数の第二チューブを固定するベース部品と、を備え、
前記ベース部品は、
前記第一チューブを固定する第一固定部と、
前記複数の第二チューブを固定する第二固定部と、
前記第一チューブから露出した抗張力部材を係止する係止部と、
前記第一固定部と前記第二固定部との間に、前記第一チューブおよび前記第二チューブから露出した前記複数の光ファイバ心線を収容する収容部と、を備える。
【００２４】
上記構成によれば、第一チューブおよび第二チューブをベース部品に固定する。このため、ベース部品の周囲を保護材で覆う際、第一チューブおよび第二チューブはベース部内で移動しないため、保護材の長さを短くすることができる。これにより、コンパクトなファンアウトコードを提供することができる。
【００２５】
（７）前記ファンアウトコードは、前記ベース部品の周囲を覆う保護材を備えてもよい。
【００２６】
上記構成によれば、保護材によりベース部品の周囲を覆う。このため、ベース部品を保護することができる。また、ベース部品の周囲を保護材で覆う際、第一チューブおよび第二チューブはベース部内で移動しないため、保護材の長さを短くすることができる。
【００２７】
（８）前記保護材は、互いに係合可能な二つの部品を有してもよい。
【００２８】
上記構成によれば、保護材は二つの部品を有する。このため、保護材の取付作業が容易に行える。
【００２９】
（９）前記保護材は、前記第一チューブを挿通する第一貫通穴と前記複数の第二チューブを挿通する第二貫通穴とを有してもよい。
【００３０】
上記構成によれば、保護材は第一チューブおよび第二チューブを挿通する貫通穴をそれぞれ有する。このため、保護材の取付作業が容易に行える。
【００３１】
（１０）また、本発明の実施形態に係るファンアウトコードの製造方法は、
複数の光ファイバ心線を第一チューブに収容するステップと、
前記複数の光ファイバ心線の少なくとも１本の光ファイバ心線を第二チューブに収容するステップと、
前記第一チューブをベース部品に固定するステップと、
前記第一チューブに収容された抗張力部材を前記ベース部品に係止するステップと、
複数の前記第二チューブを前記ベース部品に固定するステップと、を備える。
【００３２】
上記構成によれば、第一チューブおよび第二チューブをベース部品にそれぞれ固定する。このため、ベース部品の周囲を保護材で覆う際、第一チューブおよび第二チューブはベース部内で移動しないため、保護材の長さを短くすることができる。これにより、コンパクトなファンアウトコードを製造することができる。また、抗張力部材をベース部品にて係止するため、第二チューブの固定作業等の製造作業を効率よく行うことができる。
【００３３】
（１１）前記ファンアウトコードの製造方法は、
前記ベース部品の周囲を保護材で覆うステップを備えてもよい。
【００３４】
上記構成によれば、保護材によりベース部品の周囲を覆う。このため、保護材によりベース部品を保護することができる。
【００３５】
［本発明の実施形態の詳細］
以下、添付図面を参照して、本発明の実施形態（以下、本実施形態という。）について詳細に説明する。なお、図面の説明において同一または相当要素には同一符号を付し、重複する説明は省略する。
また、本実施形態の説明では、説明の便宜上、「左右方向」、「上下方向」、「前後方向」について適宜言及する。これらの方向は、図１に示されるファンアウトコード１から視た相対的な方向である。ここで、「左右方向」は、「左方向」および「右方向」を含む方向である。「上下方向」は、「上方向」および「下方向」を含む方向である。「前後方向」は、「前方向」および「後方向」を含む方向である。左右方向は、上下方向に直交する方向である。前後方向は、左右方向および上下方向に直交する方向である。「前方向」とは、ファンアウトコード１の長手方向に対して補強チューブ２側を意味し、「後方向」とは、ファンアウトコード１の長手方向に対して補強チューブ３側を意味する。
【００３６】
図１は、本実施形態に係るファンアウトコード１を示す斜視図である。図２は、図１のファンアウトコード１の分解斜視図である。尚、図２は、光ファイバ心線１０および抗張力繊維２２，３２の図示を省略している。
ファンアウトコード１は、図１および図２に示すように、補強チューブ２と、複数の補強チューブ３と、インナー部品４と、アウター部品５とを有する。また、ファンアウトコード１は、複数の光ファイバ心線１０を有する（図３Ａおよび図３Ｂ参照）。補強チューブ２は、第一チューブの一例である。補強チューブ３は、第二チューブの一例である。インナー部品４は、ベース部品の一例である。アウター部品５は、保護材の一例である。
【００３７】
補強チューブ２は、複数の光ファイバ心線１０を収容する。補強チューブ２の端部２ａは、外被２３の端部２３ａと外被２３の端部２３ａから露出したチューブ２１の端部２１ａを有し、インナー部品４に取り付けられ固定される。補強チューブ２の端部２ｂは、光コネクタ（図示せず）が取り付けられ、他の光学装置に接続される。補強チューブ３は、補強チューブ２に収容される複数の光ファイバ心線１０のうち少なくとも１本の光ファイバ心線１０を収容する。補強チューブ３の端部３ａは、外被３３の端部３３ａと外被３３の端部３３ａから露出したチューブ３１の端部３１ａを有し、インナー部品４に取り付けられ固定される。本実施形態では６本の補強チューブ３がインナー部品４に固定される。補強チューブ３の端部３ｂは、光コネクタ（図示せず）が取り付けられ、他の光学装置に接続される。尚、補強チューブ２の端部２ｂ及び補強チューブ３の端部３ｂは、直接、他の光学装置に接続されてもよい。
【００３８】
インナー部品４は、本体部６とカバー部材７とを有する。カバー部材７は、本体部６に着脱可能である。アウター部品５は、インナー部品４の周囲を覆う。アウター部品５は、アウターフロント部８とアウターリア部９とを有する。アウターフロント部８は、アウターリア部９と係合可能である。
【００３９】
［補強チューブ２］
図３Ａは、ファンアウトコード１に用いられる補強チューブ２の断面図である。
補強チューブ２は、例えば、３ｍｍの外径を有し、１２本の単心の光ファイバ心線１０を収容する。
光ファイバ心線１０は、例えば、０．２５ｍｍの直径を有し、光ファイバの周囲を樹脂（例えば、紫外線硬化型樹脂）で覆うことにより形成される。光ファイバ心線１０は、０．９ｍｍの直径を有し、光ファイバの周囲を一次被覆および二次被覆で覆うことにより形成されてもよい。光ファイバは、例えば、石英ガラスからなるコアおよびクラッドを有する全石英ファイバ、あるいは石英ガラスからなるコアおよび樹脂からなるクラッドを有するハードプラスチッククラッドファイバ等である。
【００４０】
補強チューブ２は、チューブ２１と、抗張力繊維２２と、外被２３とを有する。チューブ２１は、複数の光ファイバ心線１０を収容する。チューブ２１は、例えば、内径１．３ｍｍおよび外径１．８ｍｍのナイロン（Ｎｙ）チューブである。抗張力繊維２２は、抗張力部材の一例である。抗張力繊維２２は、チューブ２１の周囲を覆うように配置される。抗張力繊維２２は、例えば、ケブラ（Ｋｅｖｌａｒ：登録商標）等の抗張力性を有するアラミド繊維である。外被２３は、抗張力繊維２２の周囲を覆うように設けられている。外被２３は、例えば、難燃性のポリ塩化ビニル（ＰＶＣ）やポリオレフィン系樹脂等により形成される。
【００４１】
［補強チューブ３］
図３Ｂは、ファンアウトコード１に用いられる補強チューブ３の断面図である。
補強チューブ３は、例えば、２ｍｍの外径を有し、２本の単心の光ファイバ心線１０を収容する。
補強チューブ３は、チューブ３１と、抗張力繊維３２と、外被３３とを有する。チューブ３１は、補強チューブ２に収容される複数の光ファイバ心線１０のうち少なくとも１本の光ファイバ心線１０を収容する。チューブ３１は、例えば、内径０．７１ｍｍおよび外径０．９５ｍｍのナイロン（Ｎｙ）チューブである。抗張力繊維３２は、抗張力部材の一例である。抗張力繊維３２は、チューブ３１の周囲を覆うように配置される。抗張力繊維３２は、例えば、ケブラ（Ｋｅｖｌａｒ：登録商標）等の抗張力性を有するアラミド繊維である。外被３３は、抗張力繊維３２の周囲を覆うように設けられている。外被３３は、例えば、難燃性のポリ塩化ビニル（ＰＶＣ）やポリオレフィン系樹脂等により形成される。
【００４２】
［インナー部品４］
図４は、図１のファンアウトコード１の部分断面図である。図５Ａは、本実施形態に係るインナー部品４の本体部６の斜視図である。図５Ｂは、インナー部品４の本体部６を第一固定部６１の方から視た図である。図５Ｃは、インナー部品４の本体部６を第二固定部６２の方から視た図である。図６は、インナー部品４のカバー部材７の背面斜視図である。尚、図４は、光ファイバ心線１０および抗張力繊維２２，３２の図示を省略している。
【００４３】
本体部６は、図４及び図５Ａに示すように、第一固定部６１と、複数の第二固定部６２と、収容部６３と、係止部６４と、位置決め孔６５と、を有する。第一固定部６１は、補強チューブ２の端部２ａをインナー部品４に固定する。複数の第二固定部６２は、対応する補強チューブ３の端部３ａをインナー部品４に固定する。収容部６３は、第一固定部６１と第二固定部６２との間に設けられ、複数の光ファイバ心線１０の補強チューブ２および補強チューブ３から露出した部分を収容する。係止部６４は、補強チューブ２から露出した抗張力繊維２２を係止する。位置決め孔６５は、カバー部材７を本体部６に対して位置決めするために用いられる。
【００４４】
第一固定部６１は、本体部６の端部６ａに設けられ、凹部６１ａとガイド部６１ｂを有する。凹部６１ａおよびガイド部６１ｂは、補強チューブ２を位置決めするための第一凹部の一例である。
【００４５】
凹部６１ａは、図４に示すように、補強チューブ２の端部２ａにおいて、外被２３の端部２３ａから露出したチューブ２１の端部２１ａを収容する。凹部６１ａは、例えば、図５Ｂに示すように、補強チューブ２のチューブ２１の外形に沿った円弧形状の断面を有し、図５Ａに示すように、前後方向に伸びている。補強チューブ２のチューブ２１の端部２１ａは、凹部６１ａに収容された状態で接着剤によりインナー部品４に固定される。尚、凹部６１ａは、補強チューブ２のチューブ２１の外形に沿った円弧形状の断面を有するが、これに限定されない。凹部６１ａは、Ｖ字形状など、位置決めおよび固定できる他の形状の断面を有してもよい。
【００４６】
ガイド部６１ｂは、本体部６の端部６ａにおいて凹部６１ａよりも外側に設けられ、補強チューブ２の外被２３の端部２３ａを収容する。ガイド部６１ｂは、例えば、図５Ｂに示すように、補強チューブ２の外被２３の外形（すなわち、補強チューブ２の外形）に沿った円弧形状の断面を有する。尚、ガイド部６１ｂは、補強チューブ２の外形に沿った円弧形状の断面を有するが、これに限定されない。ガイド部６１ｂは、Ｖ字形状など、ガイドおよび位置決めできる他の形状の断面を有してもよい。
【００４７】
複数の第二固定部６２は、本体部６の端部６ａとは前後方向において反対側に位置する端部６ｂに設けられている。本実施形態では、本体部６は、６つの補強チューブ３に対応して６つの第二固定部６２を有する。本体部６の端部６ｂには、下段に３つの第二固定部６２が隣接して並列され、上段に３つの第二固定部６２が隣接して並列されている。
【００４８】
第二固定部６２は、凹部６２ａとガイド部６２ｂを有する。凹部６２ａおよびガイド部６２ｂは、補強チューブ３を位置決めするための第二凹部の一例である。凹部６２ａは、補強チューブ３の端部３ａにおいて、外被３３の端部３３ａから露出したチューブ３１の端部３１ａを収容する。凹部６２ａは、例えば、図５Ｃに示すように、補強チューブ３のチューブ３１の外形に沿った円弧形状の断面を有し、図５Ａに示すように、前後方向に伸びている。本実施形態では、同列の上段の凹部６２ａおよび下段の凹部６２ａは、一体形成されており、一体化された凹部６２ａに上段および下段の補強チューブ３のチューブ３１の端部３１ａが収容されている。補強チューブ３のチューブ３１の端部３１ａは、凹部６２ａに収容された状態で接着剤によりインナー部品４に固定される。
【００４９】
ガイド部６２ｂは、本体部６の端部６ｂにおいて凹部６２ａよりも外側に設けられ、補強チューブ３の外被３３の端部３３ａを収容する。ガイド部６２ｂは、例えば、図５Ｃに示すように、補強チューブ３の外被３３の外形（すなわち、補強チューブ３の外形）の一部が接触する八角形の断面を有する。尚、ガイド部６２ｂは、八角形の断面を有するが、これに限定されない。ガイド部６２ｂは、補強チューブ３の外形に沿った円弧形状やＶ字形状など、ガイドおよび位置決めできる他の形状の断面を有してもよい。
【００５０】
収容部６３は、図４および図５Ａに示すように、第一固定部６１と、第二固定部６２と、本体部６の二つの側面６ｃ、６ｃに囲まれた空間である。収容部６３は、補強チューブ２から露出した各光ファイバ心線１０が補強チューブ３に収容される際に急激に曲げられないように、前後方向に所定の長さを有する。
【００５１】
係止部６４は、補強チューブ２から露出した抗張力繊維２２を係止する。係止部６４は、図４及び図５Ａに示すように、本体部６の二つの側面６ｃにそれぞれ設けられている。係止部６４は、例えば、本体部６の側面６ｃの収容部６３を構成する部分に設けられている。係止部６４は、フック形状を有し、側面６ｃに沿って直線状に伸びた直線部と直線部の下面から下方に伸びた先端部とを有する。補強チューブ２から露出した抗張力繊維２２を係止部６４に引っ掛けることにより、抗張力繊維２２を仮固定することができる。
【００５２】
位置決め孔６５は、第一固定部６１の凹部６１ａの両側に設けられている。位置決め孔６５は、上下方向に伸びた円柱状の孔であり、カバー部材７が本体部６に取り付けられる際にカバー部材７の位置決め部７２（図６参照）をガイドする。尚、位置決め孔６５は、円柱状の孔に限られない。例えば、カバー部材７の位置決め部７２の一部が接触する四角形または八角形の断面を有する孔でもよい。また、位置決め孔６５は、１つのみ設けられてもよい。
【００５３】
カバー部材７は、図６に示すように、天板部７１と、位置決め部７２と、第一カバー部７３と、第二カバー部７４と、第三カバー部７５とを備える。天板部７１は、本体部６の上部を覆うように形成されている。位置決め部７２は、例えば、天板部７１の下面７１Ａから下方に突出した円柱である。カバー部材７を本体部６に取り付ける際、位置決め部７２が本体部６の位置決め孔６５に挿入されガイドされる。第一カバー部７３は、第一固定部６１の凹部６１ａの上部の後端部（補強チューブ３に対向する部分）を覆うように形成されている。第二カバー部７４は、第一固定部６１のガイド部６１ｂの上部を覆うように形成されている。第三カバー部７５は、第二固定部６２の凹部６２ａの上部を覆うように形成されている。尚、第一カバー部７３は、第一固定部６１の凹部６１ａの上部の一部を覆っているが、第一固定部６１の凹部６１ａの上部全体を覆ってもよい。また、第三カバー部７５は、第二固定部６２の凹部６２ａの上部全体を覆っているが、凹部６２ａの上部の一部を覆ってもよい。
【００５４】
［アウター部品５］
図７は、アウター部品５のアウターフロント部８の斜視図である。図８は、アウター部品５のアウターリア部９の斜視図である。
アウター部品５は、図７および図８に示すように、底面が四角の筒型形状を有する内部に、インナー部品４を収容する。また、アウター部品５は、底面が円の筒型形状の外形を有する。
【００５５】
アウターフロント部８は、図７に示すように、取付孔８１および貫通穴８２を有する。貫通穴８２は、第一の貫通穴又は第二の貫通穴の一例である。取付孔８１は、アウターフロント部８の側面８ａの２か所に形成されている。貫通穴８２は、アウターフロント部８の上面８ｂに形成されている。例えば、貫通穴８２は、補強チューブ２の直径よりも大きい直径を有する円形の貫通穴である。尚、取付孔８１の位置及び数は、上記例に限定されない。また、貫通穴８２は、円形に限定されず、補強チューブ２を挿通することができれば他の形状でもよい。
【００５６】
アウターリア部９は、先端部９ａがアウターフロント部８の内部に挿入される。アウターリア部９の先端部９ａは、アウターフロント部８の内面に対応するように、底面が四角の筒型形状の外形を有する。アウターリア部９は、取付爪９１および貫通穴９２を有する。取付爪９１は、アウターフロント部８の取付孔８１に対応した、アウターリア部９の先端部９ａの外面の２か所に形成されている。貫通穴９２は、アウターリア部９の底面９ｂに形成されている。例えば、貫通穴９２は、２段に配列された複数の補強チューブ３の全体形状よりも大きい直径を有する四角形の貫通穴である（図２参照）。尚、取付爪９１の位置及び数は、上記例に限定されない。また、貫通穴９２は、四角形に限定されず、補強チューブ３を挿通することができれば他の形状でもよい。
【００５７】
次に、上記のファンアウトコード１の製造方法の一例を、図９〜図１６に基づいて説明する。図９〜１６は、ファンアウトコード１の製造方法の各工程を説明するための図である。図９〜１６では、抗張力繊維の図示を簡略化し、補強チューブ２から露出する２束の抗張力繊維、ならびに、第二固定部６２の一番左側の上段および下段に固定される補強チューブ３から露出する２束の抗張力繊維のみを示している。
【００５８】
まず、図９に示すように、複数（ここでは、６本）の光ファイバ心線１０は補強チューブ２にまとめて収容される。光ファイバ心線１０は、補強チューブ２のチューブ２１の内部に端部２１ａから接着剤（図示せず）を塗布することにより、補強チューブ２のチューブ２１内に固定される。また、補強チューブ２から露出した光ファイバ心線１０のうち所定数（ここでは１本）の光ファイバ心線１０は補強チューブ３に収容される。光ファイバ心線１０は、補強チューブ２と補強チューブ３の間に露出される長さがインナー部品４の前後方向の長さよりも長くなるように、補強チューブ３に収容される。
【００５９】
次に、図１０に示すように、補強チューブ２はインナー部品４に固定される。補強チューブ２のチューブ２１の端部２１ａおよび外被２３の端部２３ａはそれぞれ、第一固定部６１の凹部６１ａおよびガイド部６１ｂに位置決めおよび固定される。補強チューブ２のチューブ２１の端部２１ａは、接着剤（図示せず）が塗布されることにより、第一固定部６１の凹部６１ａに強固に固定される。また、補強チューブ２から露出した抗張力繊維２２は、本体部６の係止部６４に引っ掛けられて仮固定される。補強チューブ２から露出した光ファイバ心線１０は、収容部６３を経由して対応する第二固定部６２内にそれぞれ配置される。
【００６０】
次に、図１１に示すように、補強チューブ３は第二固定部６２の下段の第二固定部６２に固定される。補強チューブ３のチューブ３１の端部３１ａおよび外被３３の端部３３ａはそれぞれ、第二固定部６２の凹部６２ａおよびガイド部６２ｂに位置決めおよび固定される。補強チューブ３のチューブ３１の端部３１ａは、接着剤（図示せず）が塗布されることにより、第二固定部６２の凹部６２ａに強固に固定される。また、補強チューブ３から露出した抗張力繊維３２は、折り返してガイド部６２ｂ等を経由して本体部６の外側に出しておく。尚、図１１では、上段に配置される３本の光ファイバ心線１０および３本の補強チューブ３の図示を省略している。
【００６１】
次に、図１２に示すように、補強チューブ３は第二固定部６２の上段の第二固定部６２に固定される。補強チューブ３のチューブ３１の端部３１ａおよび外被３３の端部３３ａはそれぞれ、第二固定部６２の凹部６２ａおよびガイド部６２ｂに位置決めおよび固定される。補強チューブ３のチューブ３１の端部３１ａは、接着剤（図示せず）が塗布されることにより、第二固定部６２の凹部６２ａに強固に固定される。また、補強チューブ３から露出した抗張力繊維３２は、折り返してガイド部６２ｂ等を経由して本体部６の外側に出しておく。
【００６２】
次に、図１３に示すように、カバー部材７は本体部６に取り付けられる。カバー部材７の位置決め部７２は本体部６の位置決め孔６５に挿入されてガイドされる。そして、図１４に示すように、抗張力繊維２２、３２はインナー部品４に固定される。第二固定部６２から露出した抗張力繊維３２は、カバー部材７の天板部７１の上面に折り返されて接着剤（図示せず）によりカバー部材７の天板部７１に強固に固定される。また、係止部６４から露出した抗張力繊維２２は、本体部６の側面６ｃに接触させられて接着剤（図示せず）により本体部６の側面６ｃに強固に固定される。抗張力繊維２２、３２は、アウター部品５からはみ出さない様に、必要に応じて短く切断される。
【００６３】
次に、図１５に示すように、アウターリア部９はインナー部品４の周囲に配置されて、内部にインナー部品４を収容する。補強チューブ３の後端をアウターリア部９の貫通穴９２に挿通させて、アウターリア部９を補強チューブ３に沿ってインナー部品４まで移動させる。そして、図１６に示すように、アウターフロント部８はアウターリア部９に取り付けられる。補強チューブ２の前端をアウターフロント部８の貫通穴８２に挿通させて、アウターフロント部８を補強チューブ２に沿ってアウターリア部９まで移動させる。そして、アウターフロント部８をアウターリア部９の先端部９ａに被せてアウターリア部９の取付爪９１をアウターフロント部８の取付孔８１に係合させる。
【００６４】
以上説明したように、本実施形態では、インナー部品４が、補強チューブ２および補強チューブ３を固定する。このため、インナー部品４の周囲をアウター部品５で覆う際、補強チューブ２および補強チューブ３はインナー部品４に対して動かないため、アウター部品５を長くする必要がない。これにより、コンパクトなファンアウトコードを提供することができる。
また、収容部６３は、補強チューブ２および補強チューブ３から露出した複数の光ファイバ心線１０を収容する。このため、補強チューブ２から露出した各光ファイバ心線１０が急激に曲げられることを防止することができる。
【００６５】
また、係止部６４は、補強チューブ２から露出した抗張力繊維２２を係止する。このため、補強チューブ３の取付作業等を行う際に、抗張力繊維２２が邪魔にならず、補強チューブ３の取付作業等を容易に行うことができる。また、係止部６４は、収容部６３の側面６ｃに形成される。このため、収容部６３の側面６ｃを有効に利用しつつ、係止部６４を簡単に形成することができる。
【００６６】
また、複数の第二固定部６２は、複数の補強チューブ３をそれぞれ固定する。このため、補強チューブ３を個別に位置決めすることができる。また、複数の第二固定部６２は２段に配置されている。このため、インナー部品４が左右方向に広がらず、コンパクトなインナー部品４を製造することができる。
【００６７】
また、第一固定部６１は、補強チューブ２を位置決めするための凹部６１ａおよびガイド部６１ｂを有する。このため、補強チューブ２の位置決め作業を容易に行うことができる。
また、凹部６１ａは、補強チューブ２のチューブ２１を収容し、補強チューブ２のチューブ２１は、凹部６１ａに接着固定される。このため、補強チューブ２のチューブ２１をインナー部品４に対して容易に位置決めおよび固定することができる。また、補強チューブ２のチューブ２１をインナー部品４に対して強固に固定することができる。
また、ガイド部６１ｂは、補強チューブ２の外被２３を収容する。このため、補強チューブ２の外被２３をインナー部品４に対して容易に位置決めおよび固定することができる。また、ガイド部６１ｂにより補強チューブ２の外被２３がガイドおよび固定されるため、補強チューブ２が径方向に動いたときにチューブ２１が一緒になって動いて凹部６１ａから外れることを防止することができる。
【００６８】
また、第二固定部６２は、補強チューブ３を位置決めするための凹部６２ａおよびガイド部６２ｂを有する。このため、補強チューブ３の位置決め作業を容易に行うことができる
また、凹部６２ａは、補強チューブ３のチューブ３１を収容し、補強チューブ３のチューブ３１は、凹部６２ａに接着固定される。このため、補強チューブ３のチューブ３１をインナー部品４に対して容易に位置決めおよび固定することができる。また、補強チューブ３のチューブ３１をインナー部品４に対して強固に固定することができる。
また、ガイド部６２ｂは、補強チューブ３の外被３３を収容する。このため、補強チューブ３の外被３３をインナー部品４に対して容易に位置決めおよび固定することができる。また、ガイド部６２ｂにより補強チューブ３の外被３３がガイドおよび固定されるため、補強チューブ３が径方向に動いたときにチューブ３１が一緒になって動いて凹部６２ａから外れることを防止することができる。
【００６９】
また、本体部６は、位置決め孔６５を有し、カバー部材７は、位置決め部７２を有する。このため、カバー部材７を本体部６に対して位置決めすることができる。また、位置決め孔６５を少なくとも二つ設けることにより、カバー部材７が本体部６に取り付けられる際にカバー部材７が回転することなく本体部６へガイドすることができる。
【００７０】
また、カバー部材７は、天板部７１を有する。このため、補強チューブ２、補強チューブ３および光ファイバ心線１０が本体部６から上方に動いて所定の位置から外れることを防止することができる。
また、カバー部材７は、第一カバー部７３を有する。このため、第一固定部６１の凹部６１ａに収容された補強チューブ２のチューブ２１が上方に飛び出すことを防止することができる。
また、カバー部材７は、第二カバー部７４を有する。このため、第一固定部６１のガイド部６１ｂに収容された補強チューブ２の外被２３が上方へ動いてガイド部６１ｂから外れることを防止することができる。
また、カバー部材７は、第三カバー部７５を有する。このため、第二固定部６２の凹部６２ａに収容された補強チューブ３のチューブ３１が上方へ動いて凹部６２ａから外れることを防止することができる。
【００７１】
また、インナー部品４は、本体部６と、カバー部材７と、を備えている。このため、カバー部材７を外した状態で、本体部６に補強チューブ２および補強チューブ３を取り付けることができる。これにより、補強チューブ２および補強チューブ３の取付作業を容易に行うことができる。
【００７２】
また、アウター部品５は、インナー部品４の周囲を覆うように形成されている。このため、インナー部品４を外部から保護することができる。また、アウター部品５は、互いに係合可能なアウターフロント部８およびアウターリア部９を有する。このため、アウター部品５の取付作業を容易に行うことができる。
また、アウター部品５は、補強チューブ２を挿通する貫通穴８２と複数の補強チューブ３を挿通する貫通穴９２とを有する。このため、貫通穴８２により、補強チューブ２の先端から補強チューブ２を挿通しながらインナー部品４まで移動させることができるため、アウター部品５の取付作業を容易に行うことができる。また、貫通穴９２により、補強チューブ３の後端から補強チューブ３を挿通しながらインナー部品４まで移動させることができるため、アウター部品５の取付作業を容易に行うことができる。
【００７３】
また、アウターリア部９が取付爪９１を有し、アウターフロント部８が取付孔８１を有する。このため、アウターリア部９の取付爪９１がアウターフロント部８の取付孔８１に係合することにより、アウターフロント部８とアウターリア部９を互いに固定することができる。
【００７４】
光ファイバ心線１０は、補強チューブ２のチューブ２１の内部に接着剤を塗布することにより、補強チューブ２のチューブ２１内に固定される。チューブ２１が熱により収縮する場合、チューブ２１内の光ファイバ心線１０はインナー部品４に押し出されてインナー部品４の内部で撓む可能性がある。しかし、光ファイバ心線１０は、チューブ２１内で接着固定されていることから、チューブ２１の熱収縮によりインナー部品４に押し出されることを防止することができる。
【００７５】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００７６】
上記実施形態においては、１２本の単心の光ファイバ心線１０が、互いに分離した状態で補強チューブ２に収容されているが、これに限定されない。光ファイバ心線１０の数や形態は、ファンアウトコード１の用途および接続先の光学装置の構造により異なる。例えば、１２本の光ファイバ心線１０は、互いに平行に並べられ、その周囲を樹脂（例えば、紫外線硬化型樹脂）で覆うことにより、１２心の光ファイバテープ心線として形成されてもよい。１２心の光ファイバテープ心線ではなく、複数本の４心や８心の光ファイバテープ心線が、補強チューブ２に収容されてもよい。また、補強チューブ２は、２４本の単心の光ファイバ心線や２４心の光ファイバテープ心線を収容してもよい。補強チューブ２に光ファイバテープ心線１０が収容されている場合には、光ファイバテープ心線１０の補強チューブ２から露出する部分の樹脂を除去し、複数の光ファイバ心線１０を互いに分離した後、所定の数の光ファイバ心線１０を補強チューブ３に収容する。
【００７７】
また、上記実施形態においては、２本の光ファイバ心線１０が補強チューブ３に収容されているが、これに限定されない。光ファイバ心線１０の数は、ファンアウトコード１の用途および接続先の光学装置の構造により異なる。例えば、補強チューブ３は、１本の光ファイバ心線１０を収容してもよい。
【００７８】
また、上記実施形態においては、第一固定部６１は、凹部６１ａとガイド部６１ｂを有するが、これに限定されない。例えば、補強チューブ２の端部２ａにおいてチューブ２１が外被２３から露出していない場合には、凹部６１ａは補強チューブ２の外被２３の端部２３ａを収容し、第一固定部６１はガイド部６１ｂを有していなくてもよい。
【００７９】
また、上記実施形態においては、下段に３つの第二固定部６２が隣接して並列され、上段に３つの第二固定部６２が隣接して並列されているが、これに限定されない。インナー部品４に固定される補強チューブ３の数によって、第二固定部６２の数、１段に並列される第二固定部６２の数および上下に配置される段の数が決められる。
【００８０】
また、上記実施形態においては、凹部６２ａは、同列の上段および下段の補強チューブ３のチューブ３１の端部３１ａを収容しているが、これに限定されない。例えば、凹部６２ａは、各補強チューブ３のチューブ３１の端部３１ａを収容してもよい。この場合、下段の凹部６２ａは、補強チューブ３のチューブ３１の外形に沿った円弧形状の断面を有し、上部が開口していない貫通孔として形成されてもよい。また、凹部６２ａは、Ｖ字形状など、位置決めおよび固定できる他の形状の断面を有してもよい。
【００８１】
また、上記実施形態においては、第二固定部６２は、凹部６２ａとガイド部６２ｂを有するが、これに限定されない。例えば、補強チューブ３の端部３ａにおいてチューブ３１が外被３３から露出していない場合には、凹部６２ａは補強チューブ３の外被３３の端部３３ａを収容し、第二固定部６２はガイド部６２ｂを有していなくてもよい。また、本体部６は、複数の第二固定部６２を有するが、これに限定されない。例えば、本体部６は、一つの第二固定部６２を有し、一つの第二固定部６２により複数の補強チューブ３をまとめてインナー部品４に固定してもよい。
【００８２】
また、上記実施形態においては、係止部６４は、本体部６の二つの側面６ｃに設けられているが、一方の側面６ｃのみに設けられてもよい。また、係止部６４の形状は、フック形状を有するが、抗張力繊維２２を係止することができれば、他の形状でもよい。また、係止部６４は、収容部６３の側面６ｃに設けられているが、これに限定されない。例えば、第一固定部６１や第一固定部６１の外側に位置する側面６ｃの部分に設けられてもよい。
【００８３】
また、上記実施形態においては、アウターフロント部８とアウターリア部９は前後方向に分離するように形成されているが、これに限定されない。アウターフロント部８とアウターリア部９は、前後方向に直交する方向に分離するように形成されてもよい。また、アウターリア部９がアウターフロント部８に挿入されているが、これに限定されない。アウターフロント部８が取付爪を有し、アウターリア部９に挿入されて取付爪がアウターリア部９の取付孔と係合されてもよい。
【符号の説明】
【００８４】
１：ファンアウトコード、２：補強チューブ、２ａ：端部、２ｂ：端部、３：補強チューブ、３ａ：端部、３ｂ：端部、４：インナー部品、５：アウター部品、６：本体部、６ａ：端部、６ｂ：端部、６ｃ：側面、７：カバー部材、８：アウターフロント部、８ａ：側面、８ｂ：上面、９：アウターリア部、９ａ：先端部、９ｂ：底面、１０：光ファイバ心線、２１：チューブ、２１ａ：端部、２２：抗張力繊維、２３：外被、２３ａ：端部、３１：チューブ、３１ａ：端部、３２：抗張力繊維、３３：外被、３３ａ：端部、６１：第一固定部、６１ａ：凹部、６１ｂ：ガイド部、６２：第二固定部、６２ａ：凹部、６２ｂ：ガイド部、６３：収容部、６４：係止部、６５：位置決め孔、７１：天板部、７１Ａ：下面、７２：位置決め部、７３：第一カバー部、７４：第二カバー部、７５：第三カバー部、８１：取付孔、８２：貫通穴、９１：取付爪、９ａ：先端部、９２：貫通穴
【図１】
2020098233.tif 000003
【図２】
2020098233.tif 000004
【図３Ａ】
2020098233.tif 000005
【図３Ｂ】
2020098233.tif 000006
【図４】
2020098233.tif 000007
【図５Ａ】
2020098233.tif 000008
【図５Ｂ】
2020098233.tif 000009
【図５Ｃ】
2020098233.tif 000010
【図６】
2020098233.tif 000011
【図７】
2020098233.tif 000012
【図８】
2020098233.tif 000013
【図９】
2020098233.tif 000014
【図１０】
2020098233.tif 000015
【図１１】
2020098233.tif 000016
【図１２】
2020098233.tif 000017
【図１３】
2020098233.tif 000018
【図１４】
2020098233.tif 000019
【図１５】
2020098233.tif 000020
【図１６】
2020098233.tif 000021